(57)【特許請求の範囲】
【請求項１】
外枠(1)とその内側に遊隙をもって嵌装される内枠(2)とを備え、外枠(1)の下方部に設けた内フランジ(4)の上面と内枠(2)の下面との間の円周を等分する位置にライナ(7)を挿入して、当該ライナの挿入位置近傍に設けた締結ボルト(6)で、内枠(2)と外枠(1)とを締結することにより、外枠(1)に対する内枠(2)の高さ及び勾配を調整可能にしたマンホール枠において、内枠(2)は、その円周を３以上の数で整数等分する位置(21)に、締結ボルト挿通孔(24)を備え、外枠(1)は、その円周を前記整数等分する位置(11)と当該整数等分された円弧を
２以上の所定割合で
等分割する位置(12)とに、締結ボルト挿通孔(14,15)とライナ(7)の位置決め手段(16,17)とを備えていることを特徴とする、マンホール枠。
【発明の詳細な説明】
【０００１】
【発明の属する技術分野】
この発明は、マンホールの上端に設置されてマンホール蓋を支えているマンホール枠に関するもので、特にマンホール枠が地面に固定される外枠とマンホール蓋を支持する内枠とで構成され、内枠を外枠に対して昇降かつ若干傾動調整可能に設けることによって、マンホール蓋の高さや傾きを路面の高さや傾きに合わせて設置可能にしたマンホール枠に関するものである。
【０００２】
【従来の技術】
マンホール枠は、コンクリート製のマンホール管の上端に設置されてマンホール蓋を支えている。マンホールが設けられている路面の改修や補修が行われると、アスファルトの上塗り等によって、路面の高さや勾配が変化する。このときマンホール蓋の高さや勾配を調整することができないと、マンホールが設置されている路面に凹みや膨らみが生ずることとなる。
【０００３】
この問題を避けるために、マンホール枠を外枠と内枠に分割形成し、マンホール蓋を支持する内枠を外枠内で昇降かつ傾動調整可能に設けることにより、路面の高さや勾配が変化したときに、マンホール蓋の高さや勾配を合わせることができるようにしたマンホール枠が提唱されている。
【０００４】
この種のマンホール枠は、通常外枠と内枠との間に複数本の高さ調整ボルトを設けて外枠に対する内枠の高さを調整し、調整後は外枠と内枠との間の上下方向の隙間にライナを挿入し、内枠ががたついたりライナが外れたりしないように、ライナ挿入位置近傍に設けた締結ボルトで、内枠を外枠に固定するようにしている。前記高さ調整ボルトと締結ボルトとは、同一ボルトで兼用する構造と、別々に設ける構造とが可能である。
【０００５】
ライナはマンホール枠の円周を等分した３ないし４箇所に挿入するのが普通で、その円周方向長さの総和は円周の長さの３分の１から２分の１である。作業性の観点から言えば、ライナは小さいほど好ましい。しかし、大型トラックが走行したときなど、マンホール蓋には非常に大きな荷重がかかり、この荷重はライナを介して外枠に伝達されるので、ある程度の大きさの受圧面積が必要である。
【０００６】
ライナは複数枚を積み重ねて所望高さにするようになっており、マンホール蓋に勾配を設けるときは、複数箇所に挿入するライナの高さを変えることによって行う。このとき単に平板状のライナを積み重ねただけでは、傾斜した内枠とライナとが片当たりして、必要な受圧面積が確保できず、内枠のライナとの当接部に大きな局部応力を生ずる。そこで、積み重ね面を円弧面とした２枚のライナを介在させることによってライナ上面の傾斜を可変にする構造と、傾斜角に合わせた楔状のライナを介在させることによってライナ上面を内枠の勾配に合わせる構造とが提案されている。
【０００７】
前者の構造は、内枠の傾斜角及び傾斜方向に自由に対応できるが、設置時に各ライナの傾斜角を正確に設定しなければ、内枠と片当たりして過大な応力集中を生ずる危険がある。一方後者の構造は、傾斜角や傾斜方向を段階的にしか設定できないが、内枠とライナとの確実な面接触が保証され、設置作業が容易であるという特徴がある。
【０００８】
なお前者の構造の場合には円弧面同士の接触による自動調心作用が働くように考えられるが、この自動調心作用は偏荷重により生ずる接線力が摩擦力より大きくなければ働かず、これを有効に働かすためには円弧の曲率を大きくしなければならないが、曲率を大きくするにはライナの高さを高くする（マンホール枠の高さが高くなる）か、円弧の長さを短くする（ライナの受圧面積が小さくなる）かしなければならないので、現実には自動調心作用が期待できるほどの曲率とすることは不可能で、各ライナの傾きを作業者が個別に調整する必要がある。
【０００９】
【発明が解決しようとする課題】
後者の構造、すなわち楔状のライナを介在させることによって傾斜した内枠とライナとの面接触を図る構造では、角度の異なる複数種の楔状ライナを準備し、あるいは楔状ライナを複数枚積み重ねることにより、実用上問題にならない程度の細かい角度間隔で内枠の傾斜角を調整できる。しかしマンホール蓋の勾配の方向は、円周を等分したライナ挿入箇所の方向によって規定されてしまう。たとえば円周を４等分した位置にライナを挿入するようにしたものでは、勾配の方向を９０度間隔でしか調整できない。この問題は外枠の方向を道路の勾配に合わせて設置すれば解決するように考えられる。道路は中央が高く路側が低くなる方向に傾斜しており、この勾配の方向が変わることは考えられないからである。
【００１０】
ところが現実には、外枠の方向は道路の勾配とは無関係な他の要因によって決定されてしまう。それは外枠の内周一箇所にハンドグリップと呼ばれる金具が取り付けられており、このハンドグリップをすでに地中に埋設されているマンホール管のストレート部に合わせて、外枠を設置しなければならないためである。
【００１１】
マンホール孔は、図６に示すように、地中部分が地表部分より大径となっており、その間を繋ぐように傾斜管５が設けられ、傾斜管５の上端にマンホール枠が設置されるようになっている。傾斜管５には、マンホール枠に出入りする人のための手すり５２や梯子が逆勾配とならないように、ストレート部５１が設けてある。
【００１２】
従って外枠１は、前記ハンドグリップがこのストレート部に設けた手すり５２と一致する方向となるように取り付けなければならない。傾斜管５に手すり５２が設けられていないときは、外枠のハンドグリップに梯子の上端を引っ掛けて作業者がマンホール孔に出入りするので、やはり外枠はハンドグリップを傾斜管のストレート部５１の方向に合わせて設置しなければならない。そのため外枠のライナ挿入位置を道路の勾配の方向に合わせて外枠を設置することができないのである。
【００１３】
外枠のライナ挿入位置の方向と道路の傾斜方向とがずれた場合、たとえば円周を４等分した位置にライナ挿入位置を設けたマンホール枠では、マンホール蓋の傾斜方向を９０度間隔でしか変更できないので、道路の傾斜方向に対して最大４５度のずれを生じ、マンホール蓋の周囲と路面との間に容易に視認できる程度の不均一な段差を生じてしまう。マンホール枠の円周上におけるライナの挿入位置を規制しなければ、マンホール蓋の傾斜方向は自由に設定できるが、ライナの挿入位置を現場作業者が正確に定めなければならないこととなり、前述した円弧面によってライナの傾斜角を定めるものと同様、現場作業者の作業負担が非常に大きくなる。
【００１４】
また内枠と外枠を締結する締結ボルトを設けた箇所には、マンホール蓋の荷重と締結ボルトの締結力とが重なって作用するので、内枠にかかる内部応力を均一にするためには、ライナ挿入位置に締結ボルトを設けるのが好ましい。従ってマンホール蓋の傾斜方向をより狭い角度毎に変更できるように、円周をたとえば８等分や１２等分した位置にライナ挿入位置を設けると、マンホール枠の構造が複雑になり、ライナも多種類のものを準備しなければならず、現場作業者の作業負担も増大するという不都合が生じる。
【００１５】
この発明は、上述のような問題を解決するためになされたもので、マンホール枠の構造を過度に複雑にすることなく、またライナの数も増大させないで、かつ現場作業者の作業負担を増大させることなく、マンホール蓋の傾斜方向をより細かい間隔で調整できるようにしたマンホール枠を提供することを課題としている。
【００１６】
【課題を解決するための手段】
上記課題を解決したこの発明のマンホール枠は、外枠１とその内側に遊隙をもって嵌装される内枠２とを備え、外枠１の下方部に設けた内フランジ４の上面と内枠２の下面との間の円周を等分する位置にライナ７を挿入して、当該ライナの挿入位置近傍に設けた締結ボルト６で、内枠２と外枠１とを締結することにより、外枠１に対する内枠２の高さ及び勾配を調整可能にしたマンホール枠において、内枠２は、その円周を３以上の数で整数等分する位置２１に、締結ボルト挿通孔２４を備え、外枠１は、その円周を前記整数等分する位置１１と当該整数等分された円弧を所定割合で分割する位置１２とに、締結ボルト挿通孔１４、１５とライナ７の位置決め手段１６、１７とを備えている。
【００１７】
【作用】
マンホール蓋の勾配の方向に特に問題が生じないときは、外枠１の円周を等分した位置１１に設けられている締結ボルト挿通孔１４及びライナの位置決め手段１６に締結ボルト６及びライナ７を挿入して、内枠２を外枠１に固定する。この固定構造によりマンホール蓋の勾配の方向を４等分したときは９０度ずつ、３等分したときは１２０度ずつ変更できる。
【００１８】
マンホール蓋の勾配の方向をより細かい角度で調整したいときは、等分した円弧をさらに分割した位置１２に設けられている締結ボルト挿通孔１５及びライナの位置決め手段１７に締結ボルト６及びライナ７を挿入して、内枠２を外枠１に固定する。この固定構造によりマンホール蓋の勾配の方向を、例えば４等分した円弧を２分割したときは４５度ずつ、３等分した円弧を３分割したときは４０度ずつ変更できる。
【００１９】
これらの例の場合の路面の傾斜方向とマンホール蓋の傾斜方向との最大誤差は、それぞれ２２．５度及び２０度となり、この程度の方向の誤差であれば、マンホール蓋の周囲と路面との間にできる不均一な段差も一般の通行人にはほとんど感知できない程度のものとなる。
【００２０】
そしてこの発明によれば、外枠１にのみライナの位置決め手段１７と締結ボルト挿通孔１５とを増設すればよく、ライナ７及び締結ボルト６は等分した位置１１に挿入するものをそのまま分割した位置１２に挿入してやればよく、ライナの形状や締結ボルトの本数も変わらず、内枠２は従来構造のものと全く同じでよい。従ってマンホール枠の構造の変更はわずかで済み、ライナの数を増大させたり現場作業者の作業負担を増大させたりすることなく、より細かい角度単位でマンホール蓋の傾斜方向を調整できるマンホール枠を得ることができる。
【００２１】
【発明の実施の形態】
図１ないし図５はこの発明の実施形態を示した図で、図１は外枠の部分平面図、図２は内枠の部分平面図、図３はライナの平面図、図４は４枚一組の傾斜ライナの形状を説明する図、図５は締結部分で示す内枠と外枠との拡大断面図である。
【００２２】
外枠１は短円筒状の鋳物製で、下端には外側に延びる外フランジ３と内側に延びる内フランジ４とを備えている。外枠１は外フランジ３の下面と内フランジ４の下面の外周側の部分とが、図６に示した傾斜管５の上端に接した状態で設置される。
【００２３】
内フランジ４の内周側には、円周を４等分する等分位置１１と、等分された円弧を２等分割する分割位置１２とに、締結鍔１３が一体成形されており、各締結鍔には締結ボルト６を側方から挿入できるようにした平面Ｕ字形のボルト挿通孔１４、１５が設けられている。さらにこの等分位置１１と分割位置１２とのそれぞれの内フランジ上面には、２個一対の突起１６、１７で形成されたライナ位置決め手段が設けられている。ライナ７は上面の前記位置決め突起１６、１７に対応する部分に一対の位置決め突起８を備え、当該位置の下面にはこれらの位置決め突起１６、１７が嵌入される凹所を備えた形状である。
【００２４】
内枠２は短円筒状の鋳物製で、上端内周にマンホール蓋を嵌合するテーパ面９を備え、高さ方向中間部より若干下方に内フランジ１０を備えている。内フランジ１０の内周の円周を４等分する位置２１には、締結鍔２３が内側に向けて突出形成され、この締結鍔２３には外枠の締結鍔と同様に、側方から締結ボルトを挿通することが可能なＵ字形のボルト挿通孔２４が設けられている。また内枠の下面２５の内周には、ライナ上面の位置決め突起８との干渉を避けるための凹部２６が設けられている。
【００２５】
外枠１の下端部内周一箇所には、ハンドグリップ１８が設けられている。このハンドグリップ１８はマンホール孔に出入りする作業者が手足を掛けるのに用い、また必要なときには、マンホール孔に挿入する作業用の梯子の上端のフックを引っ掛けて、梯子を懸吊するのに用いる。前述したように、外枠１はこのハンドグリップ１８を設けた位置が傾斜管のストレート部５１と略一致する方向にして取り付ける必要がある。
【００２６】
内枠２はその下面２５が外枠の内フランジ４の上面と対向するように外枠１内に挿入される。外枠の内フランジ４の上面と内枠の下面２５との間には、前記等分位置１１及び分割位置１２のいずれかにライナ７が挿入され、当該等分位置または分割位置に設けられているボルト挿通孔１４、１５と、内枠の等分位置２１に設けたボルト挿通孔２４とに締結ボルト６を挿通して、ナット３１で締結することにより、内枠２が外枠１に固定される。
【００２７】
円周に４個設けられた等分位置１１または同じく４個設けられる分割位置１２のそれぞれには、図４に示すように上面７１が下面７２に対して一定の傾斜角αで傾斜するように成形された４個一組のライナ７がマンホール蓋の傾斜方向に合わせて設置される。たとえば傾斜角αが０．５度のものと１度のものとを準備しておけば、これらを積重することにより、マンホール蓋の傾斜角を０．５度刻みで調整することができる。またマンホール蓋の高さは平板状のライナを積み重ねることによって調整できる。
【００２８】
以上の第１実施例は外枠の円周を４等分した位置と、４等分した円弧をさらに２等分割した位置とにライナの位置決め突起１６、１７と締結ボルトの挿通孔１４、１５を設けた例であるが、外枠の等分位置１１を円周を３等分した位置に設定し、分割位置１２を３等分した１２０度の円弧を３等分割した位置に設定して、これらの位置にライナの位置決め突起１６、１７とボルト挿通孔１４、１５を設けた場合には、等分位置１１の位置決め突起１６とボルト挿通孔１４を用いることにより、マンホール蓋の傾斜方向を１２０度単位で調整でき、さらに分割位置１２に設けた位置決め突起１７とボルト挿通孔１５のいずれかを適宜用いることにより、４０度単位でマンホール蓋の傾斜方向を調整することができる。この場合の内枠に設けるボルト挿通孔２４は、円周を３等分した位置のみに設ける。
【００２９】
いずれにしても、分割位置をより多く設けることによってマンホール枠の設置作業を煩雑にすることなく、マンホール蓋の傾斜方向の調整をより細かい角度で行うことができるようになるが、実際問題としてはそれほど傾斜角の方向を厳密に合わせる必要はなく、３ないし４等分した円弧を２ないし４等分する構成が実用的である。
【図面の簡単な説明】
【図１】実施例の外枠の平面図
【図２】実施例の内枠の平面図
【図３】実施例のライナの平面図
【図４】４枚一組の傾斜ライナの形状を説明する図
【図５】締結部分で示す内枠と外枠との拡大断面図
【図６】地中に設けられるマンホール管の断面図
【符号の説明】
１  外枠
２  内枠
４  内フランジ
６  締結ボルト
７  ライナ
14,15   ボルト挿通孔
16,17   突起
21  等分する位置
24  ボルト挿通孔
【図１】
0004077071.tif 000002
【図２】
0004077071.tif 000003
【図３】
0004077071.tif 000004
【図４】
0004077071.tif 000005
【図５】
0004077071.tif 000006
【図６】
0004077071.tif 000007